(57)【要約】      （修正有）【課題】照明灯を支持する台座と支持された照明灯を囲うように台座に装着される透光体とを、周方向の位置合わせをせずに簡単に連結できる照明装置を提供する。【解決手段】上部の水平断面が円形状になる台座１と、この台座１の中央位置に支持される照明灯３と、台座１に着脱可能に連結されて照明灯３を囲う透光体２とを備える照明装置Ｌ１であって、台座１の上面の周縁に沿う水平円輪面１０に、等角度間隔をもって偶複数個の磁石４が配備される。透光体２は、水平円輪面１０に載る大きさの円形状の縁輪部２１を有する開口端面と、当該縁輪部２１に一体に設けられた磁性リングＲ１とを備える。この磁性リングＲ１が水平円輪面１０の各磁石４に引き寄せられる力によって台座１に連結される。【選択図】図１
0003225962.tif 000002
【実用新案登録請求の範囲】
【請求項１】
上部の周縁水平面が円輪状の台座と、その水平円輪面の中央位置に支持される照明灯と、前記水平円輪面に着脱可能に連結されて前記照明灯を囲繞する透光体とを備える照明装置において、
前記水平円輪面に等角度間隔をもって複数個の磁石が配備され、
前記透光体は前記水平円輪面に載置可能な縁輪部を有して、該縁輪部には磁性リングが一体に取り付けられていることを特徴とする照明装置。
【請求項２】
前記透光体は円筒状又は円錐状若しくは円錐台状に保形されたシートにより形成され、前記磁性リングは縁輪部に存するシートに全部または一部がくるまれた状態で保持されていることを特徴とする請求項１に記載された照明装置。
【請求項３】
前記透光体は螺旋体と該螺旋体の外面に貼付された透光性を有するシートとにより形成され、前記磁性リングは前記縁輪部に存するシートに全部または一部がくるまれた状態で保持されていることを特徴とする請求項１に記載された照明装置。
【請求項４】
前記磁石は、永久磁石であることを特徴とする請求項１〜３のいずれか一項に記載された照明装置。
【請求項５】
前記磁石が配備される水平円輪面の内方境界部には、該水平円輪面の領域がそれより内側の領域より低くなるような段差が形成され、該段差により前記水平円輪面の境界が画成されていることを特徴とする請求項１〜４のいずれか一項に記載された照明装置。
【考案の詳細な説明】
【技術分野】
【０００１】
本考案は照明装置に係り、詳しくは、上面が円輪状の台座と、その中央位置に支持される照明灯と、台座に着脱可能に装着されて照明灯を囲繞する透光体とを備える照明具であって、透光体を位置ずれの如何を問わず手軽に装着できるようにした照明装置に関するものである。
【背景技術】
【０００２】
上部の周縁水平面が円輪状の台座と、その水平円輪面の中央位置に支持される照明灯と、前記水平円輪面に着脱可能に連結されて前記照明灯を囲繞する透光体とを備える照明装置として、特許文献１に開示された装置がある。
【０００３】
この特許文献１の基台部の上面には、少なくとも２つの磁石が離間して埋設される。円筒部は、円筒状の光透過部と、この光透過部の上下の開口部を被覆する上冠部および下冠部（いずれも開口の内周縁部のみを被覆するもの）とを備え、下冠部の基台側磁石に付合（正しくは符合、該特許文献１の作成者の記載誤りと思われる。）する位置にそれぞれ基台側磁石に吸着させるための下冠側磁石が配設されている（特許文献１の段落００１１，００２６〜００２７，図１〜３を参照。）。
【０００４】
上記の構成によれば、基台側磁石と下冠側磁石とを近づけてこれらを吸着させることによって、基台部と円筒部とを容易に連結することができる。また円筒部を取り外すときも、円筒部を筒軸周りに回動させながら上方に引き上げて磁石の吸着力を弱める方法によって、取外しを容易に行うことができる（特許文献１の段落００１７を参照。）。
【先行技術文献】
【特許文献】
【０００５】
【特許文献１】実用新案登録第３２０００１７号
【考案の概要】
【考案が解決しようとする課題】
【０００６】
しかし、特許文献１に記載された照明装置において基台部と円筒部とを連結するには、基台側磁石と下冠側磁石との位置を合わせる作業が必要であるから、照明装置の組立作業が十分に簡単であるとは言えない。
【０００７】
本考案は上記の問題に鑑みなされたもので、その目的は、照明灯を支持する台座と支持された照明灯を囲繞するように台座に装着される透光体とを、周方向の位置合わせをせずに簡単に連結することができる照明装置を提供することである。
【課題を解決するための手段】
【０００８】
本考案の照明装置は、図１を参照して、上部の周縁水平面が円輪状の台座１と、その水平円輪面１０の中央位置に支持される照明灯３と、水平円輪面１０に着脱可能に連結されて照明灯３を囲繞する透光体２とを備える照明装置Ｌ１に適用される。その特徴とするところは、水平円輪面１０に等角度間隔をもって複数個の磁石４が配備され、透光体２は水平円輪面１０に載置可能な縁輪部２１を有して、その縁輪部２１には磁性リングＲ１が一体に取り付けられていることである。
【０００９】
透光体は円筒状又は円錐状若しくは円錐台状に保形されたシート２０により形成され、磁性リングＲ１は縁輪部２１に存するシート２０に全部または一部がくるまれた状態で保持されている。
【００１０】
図５を参照して、透光体１０２は螺旋体１０３とこの螺旋体に貼付された透光性を有するシート１２０とにより形成され、磁性リングＲ１１は縁輪部１２１に存するシート１２０に全部または一部がくるまれた状態で保持されたものとすることもできる。
【００１１】
図１に戻って、磁石４は、永久磁石としておくとよい。
【００１２】
磁石４が配備される水平円輪面１０の内方境界部に、水平円輪面内側の領域より低くなるような段差１６を形成しておくとよい。
【考案の効果】
【００１３】
本考案によれば、透光体は磁性リングが取り付けられた縁輪部を下向きにした姿勢とされ、透光体の内部空間に照明灯が入るようにしながら透光体を照明灯の上方から台座に接近させて、磁性リングを台座の水平円輪面に配備された磁石の吸着力でもって透光体を台座に連結することによって、台座と透光体との周方向における位置ズレを気遣うことなく、簡単に両者を一体化することができる。
【００１４】
さらに、水平円輪面に等角度間隔をもって配備される複数個の磁石によって、台座の中心部に対して点対称の磁場分布とすることで、透光体の磁性リングにバランス良く磁力を作用させて、台座と透光体とを安定した強度で連結することができる。
【００１５】
透光体の照明灯を囲繞する部分を円筒状又は円錐状若しくは円錐台状に保形したシートにより形成し、このシートの開口下端部で磁性リングの全部または一部をシートにくるんで保持するようにして、透光体の縁輪部に輪状感磁性部を生じさせれば、透光体と台座とを両者の周方向の多少の位置関係を問わずに連結することができる。また、磁性リングを被覆する部分のシート層の厚み若しくはシート自体の厚みによって磁性の強弱を変えておくことができ、透光体と台座との連結度の変更が容易となる。
【００１６】
照明灯を囲繞する部分を螺旋体にシートを貼着した構成とする透光体にあっても、上記例と同様に、透光体の縁輪部に輪状感磁性部を生じさせて、透光体と台座とを両者の周方向の多少の位置関係を問わずに連結することができる。
【００１７】
前記磁石を永久磁石４としておけば、市販の磁石小塊を充てることができ、磁化のために新たな電力供給は不要であり、そのためのスペースや配線も必要でなくなる。
【００１８】
水平円輪面がその内側の領域より低くなるように段差で画成されていれば、透光体が置かれる位置に多少のズレがあっても、段差が磁性リング乗載時のセンタリング作用を発揮する。すなわち、段差の壁は筒状・錐状に拘わらず透光体の台座に対する調心機能を発揮する。
【図面の簡単な説明】
【００１９】
【図１】本考案の第１実施例に係る照明装置を、照明灯が台座に組み込まれたセミアッセンブリと、透光体とに分離して表した斜視図である。
【図２】台座への透光体の装着が完了した第１実施例の照明装置の外観を表す斜視図である。
【図３】（ａ）は第１実施例の台座の平面図、（ｂ）は底面図である。
【図４】第１実施例の透光体の底面図である。
【図５】本考案の第２実施例に係る照明装置を、照明灯が台座に組み込まれたセミアッセンブリと、透光体とに分離して表した斜視図である。
【図６】（ａ）は台座への透光体の装着が完了した第２実施例の照明装置の外観を表す斜視図、（ｂ）は平面図である。
【図７】（ａ）は第２実施例の台座の平面図、（ｂ）は底面図である。
【図８】第２実施例の透光体の底面図である。
【考案を実施するための形態】
【００２０】
以下に本考案に係る照明装置をその実施の態様に基づいて、詳細に説明する。図１は第１実施例の全体構成を表し、上部の周縁水平面が円輪状の台座１と、その水平円輪面１０の中央位置に支持される照明灯３と、水平円輪面１０に着脱可能に連結されて照明灯３を囲繞する透光体２とを備える照明装置Ｌ１である。そして、水平円輪面１０には等角度間隔をもって複数個（この例は４個  見えているのは３個）の磁石４が配備されている。透光体２は水平円輪面１０に載置可能な縁輪部２１を有していて、その縁輪部２１には磁性リングＲ１が一体に取り付けられている。
【００２１】
個々を具体的に述べれば、照明灯３は蝋燭型の白熱灯であり、台座１は照明灯３を中央位置に起立姿勢で支持し、透光体２は台座１に着脱可能に載置されて照明灯３を囲う円筒体である。
【００２２】
照明灯３は、中空の軸部３１の上端部に炎を模した形状のランプ３０が取り付けられた形態のものである。軸部３１の内部には乾電池が収容され、その空間の内面に乾電池とランプ３０とを電気接続するためのリード線や端子（いずれも図示せず。）が配備されている。また、これも図示を略したが、軸部３１の底面は開口されてその開口部にキャップが取り付けられ、キャップを外すことで乾電池を出し入れすることができる。また、このキャップの内面にも端子が設けられ、キャップ又は軸部３１の外周面の適所に回路を通電させるためのスイッチが設けられている。
【００２３】
図１や図３（ａ）を参照して、台座１は、円錐台状の基部１１と、この基部１１の上面に中心を合わせて一体に重ねられた円盤状の支持部１２とを備える。支持部１２の中央位置には上記照明灯３の軸部３１を立てるための支持穴１３が設けられている。
【００２４】
基部１１の上にそれより径が小さい支持部１２が重ね合わせられたことにより、台座１の上面には、その周縁に沿う水平円輪面１０（基部１１の上面の支持部１２より外側の部分）が形成されると共に、この水平円輪面１０と支持部１２との間に段差１６を生じさせている。
【００２５】
水平円輪面１０には、９０度の角度間隔をもって４個の磁石４が配備されている（図３（ａ）を参照。）が、これらの磁石４は、水平円輪面１０の幅にほぼ等しい直径を有する円盤の形状を有する。水平円輪面１０の磁石４の配設位置には、磁石４の径及び厚みに適合する大きさの穴（図示せず。）が形成され、各磁石４は、上面のみが露出する状態となるようにすなわち突出させることなく上記の穴の中に装填され、もしくは沈み込んで、接着剤等によって固定される。
【００２６】
なお、図３（ｂ）に示すように、基部１１の底面１４は平坦面であって、端縁に近い３箇所に布製の滑り止め片１５が貼着されている。
【００２７】
再び図１に戻って、透光体２は、前出の水平円輪面１０に載る大きさの円形状の縁輪部２１，２２を有する円筒状の部材である。具体的には、円筒状に保形されたシート２０と、このシート２０による円筒の両開口端面の縁輪部２１，２２に設けられる磁性リングＲ１，Ｒ２と、天部側の開口端面を塞ぐ円形シート２３とにより構成される。
【００２８】
円筒を形成するシート２０には絵模様が描かれ、両側縁輪部が接着剤により一体化されている。円形シート２３も接着剤によって円筒の天部側の縁輪部２２に固定される。なお、この例のシート２０，２３は和紙であるが、これに限らず、透光体は透明もしくは減光機能を発揮する半透明性を有するもの等であり、樹脂製のシートや和紙以外の透光性を有する薄紙を採用してもよいし、それらを組み合わせて使用してもよい。
【００２９】
透光体２の底部側の開口端面の縁輪部２１に設けられる磁性リングＲ１は、磁性を有する金属（酸化鉄、ニッケルなど）を輪状に成形したものや、又は磁性及び可撓性を有する金属線を輪の形になるように曲げて両端を接合したものである。ちなみに、ランドルト環（視力検査リング）状にしたものとしておいてもよい。この磁性リングＲ１は完全にまたはほぼ全周にわたってシート２０の縁輪部２１を形成する部分にくるまれ、その被覆部分が接着剤等によって固定されることによって、縁輪部２１に保持される。
【００３０】
天部側の開口端面の縁輪部２２に配備される磁性リングＲ２も同様に、全周にわたってシート２０の縁輪部２２を形成する部分にくるまれた状態で保持される。
【００３１】
上記の構成の照明装置Ｌ１によれば、台座１に支持された照明灯３が透光体２の内部空間の中に入るようにしながら、透光体２を照明灯３の上方から台座１に接近させ、透光体２の底部側の縁輪部２１を台座１の基部１１の水平円輪面１０に載せることによって、縁輪部２１の磁性リングＲ１が磁石４の磁力により水平円輪面１０の方へと引き寄せられ、その吸引力によって透光体２が台座１に連結される。また、磁性リングＲ１に及ぶ吸引力より大きな力をもって透光体２を引き上げることによって、透光体２を台座１から引き離すことができる。
【００３２】
なお、上記の実施例では、透光体２の天部側の開口端面を円形シート２３で塞ぐと共に、透光体２の外周面に上下関係を想起させるような絵模様を描くことによって、どちらの端面が底部になるかを明確にしているが、透光体２の外周面に上下の区別のない絵模様が描かれる場合や外周面が無地の場合には、透光体２の両端面を共に開口することによって、いずれの端面を底部にしても、透光体２を照明灯３を囲う状態にして台座１に連結することができる。一方、本実施例のように天部側の開口端面が塞がれている場合や、透光体の上下が明確にされている場合には、天部側の縁輪部には必ずしも磁性リングを設ける必要はない。
【００３３】
図５および図６は、本考案の第２実施例に係る照明装置Ｌ２の構成を表したものである。図７は当該照明装置Ｌ２の台座１０１の構成を表し、図８は当該照明装置Ｌ２の透光体２の底部側から見た構成を表したものである。
【００３４】
この照明装置Ｌ２は、蝋燭型の照明灯３と、この照明灯３を中央位置に起立姿勢で支持する台座１０１と、上下の各端面が開口された透光体１０２と、手提げ部材５０とを備える提灯型の装置である。照明灯３は第１実施例と同様の構成であるので、各要素を同じ符号で示すことにより説明を省く。
【００３５】
台座１０１は、各々の中心を合わせて上下に重ね合わせられた３枚の円盤部材１１１，１１２，１１３により構成される。中央の円盤部材１１１が台座１の基部に相当するもので、他の２つの円盤部材１１２，１１３より径や厚みが大きく設定される。上部の円盤部材１１２は台座１の支持部となるもので、中央位置に照明灯３を立てるための支持穴１１４が設けられる。底部の円盤部材１１３は、基部１１１および支持部１１２を支える脚部となるもので、その底面１１５には図７（ｂ）に示すように、滑り止め用の円形布１１６が貼り合わせられている。
【００３６】
基部１１１の上にこれより径が小さい支持部１１２が重ね合わせられたことにより、台座１０１の上面には、その周縁に沿う水平円輪面１１０（基部１１１の上面の支持部１１２より外側の部分）が形成されると共に、この水平円輪面１１０と支持部１１２との間に段差１６が生じる（図５を参照。）。
【００３７】
水平円輪面１１０には、図７（ａ）に示すように、２個の円盤状の永久磁石４０が、１８０度の角度間隔を隔てて配備されている。第１実施例と同様に、水平円輪面１１０の磁石４０の配設位置には、磁石４０の径及び厚みに適合する大きさの穴（図示せず。）が形成され、各磁石４０は上面のみを露出する状態になるように上記の穴の中に装填されて、接着剤等により固定される。なお、第２実施例の水平円輪面１１０の幅は永久磁石４０よりやや大きく、各磁石４０は支持部１１２との段差１６の近傍に配備されている。
【００３８】
第２実施例の透光体１０２は、可撓性を有する細い金属線により形成さればね的変形で上下に伸縮可能な螺旋体１０３と、この螺旋体１０３の外周に貼着されて螺旋体１０３の伸縮に追随して変形するシート１２０とにより形成される（提灯等で「火袋」と呼ばれる形態のものとなる。）。螺旋体１０３の径は天部に向かうにつれて小さくなり、天部が保形機能を兼ね備えた手提げ部材５０を挿通させることが可能な大きさの円形状になる。螺旋体１０３の底部は、水平円輪面１１０の各磁石４０が配設される範囲を通る円に適合する大きさとなり、螺旋体１０３の高さは手提げ部材５０より低くなるように設定される。シートの立ち姿勢はこの手提げ部材５０が担い、保形は主として螺旋体が受け持つから、使用しないの時期には蛇腹を折り畳むなどして嵩を低くしやすく、保管時の格納が容易で都合がよい。
【００３９】
この実施例で使用されるシート１２０は初盆用灯りとしての無地の和紙であるが、これに限らず、透光性を有する樹脂製シートや和紙以外の透光性を有する薄紙を使用してもよい。螺旋体１０３の材料も金属線に限らず、竹ひごや樹脂製の線材を使用してもよい。
【００４０】
透光体２の各開口端面の縁輪部１２１，１２２には、磁性リングＲ１１，Ｒ１２が縁輪部１２１，１２２の部分のシートにくるまれている。被覆部分が接着剤等で固定されることによって、磁性リングＲ１１，Ｒ１２は縁輪部１２１，１２２に保持される。ただし、この実施例でも、天部側のリングＲ１２には必ずしも磁性をもたせる必要はない。
【００４１】
図７（ａ）に示すように、台座１の支持部１１２の周縁部は磁石４の真横に相当する２箇所でそれぞれ半円状に切り欠かれ、それらの切り欠きの厚み部分から水平方向および支持部１１２の中心に向かう方向へ延びる手提げ部材５０の差込み穴１１７が設けられている。
【００４２】
手提げ部材５０は、金属製の線材の中央部をＶ字状に屈曲させ、両端部を互いに向き合う方向に屈曲させたものである。この手提げ部材５０の両端の各屈曲部５２，５２を前出の切り欠き部分の差込み穴１１７，１１７に挿入することによって、手提げ部材５０は中央の屈曲部５１を逆Ｖ字状にした姿勢で台座１０１に連結される（図５を参照。）。
【００４３】
第２実施例の照明装置Ｌ２でも、台座１０１に支持された照明灯３が透光体１０２の内部空間の中に入るようにしながら、透光体１０２を照明灯３の上方から台座１０１に接近させ、透光体１０２の底部の開口端面の縁輪部１２１を台座１の基部１１１の水平円輪面１１０に載せることによって、縁輪部１２１のリングＲ１１が磁石４０の磁力により水平円輪面１１０の方へと引き寄せられ、その吸引力によって透光体１０２が台座１０１に連結される。また連結後に、リングＲ１１に作用する吸引力より強い力をもって透光体１０２を引き上げることによって、透光体１０２を台座１０１から取り外すことができる。
【００４４】
透光体１０２を連結する前に手提げ部材５０を台座１０１に取り付けておけば、この手提げ部材５０も照明灯３と共に透光体１０２の内部空間に入れた状態にして透光体１０２を台座１０１に連結することができる。これによって、図６（ａ）（ｂ）に示すように、手提げ部材の中央の屈曲部５１を透光体１０２の天部側の開口端面から突出させた状態なり、手提げ部材５０の屈曲部５１を持てば照明装置Ｌ１の全体を引き上げ、自由に持ち歩いたりすることができる。
【００４５】
上記２つの実施例では、透光体２，１０２の底部の開口端面の縁輪部２１，１２１に磁性リングＲ１，Ｒ１１をくるまれた状態にして保持することによって、縁輪部２１，１２１の全周のどの箇所でも永久磁石４に吸着されるようにしたので、台座１，１０１の周方向に対する透光体２，１０２の位置関係を気にする必要なく、透光体２，１０２を容易に台座１，１０１に連結することができる。また、磁性リングＲ１，Ｒ１１を被覆するシート２０，１２０の層の厚みやシート２０，１２０自体の厚み、もしくは磁石４，４０の数を調整することによって、透光体２，１０２に及ぶ磁力の強さを変更することができる。
【００４６】
台座１，１０１の上面に、透光体２，１０２の底部側の開口端面の縁輪部２１，１２１が載せられる水平円輪面１０，１１０がそれより内側の領域（支持部１２，１１２）より低くなるような段差が形成されているので、縁輪部２１，１２１を載せる場所が明確になると共に、透光体２，１０２が台座１，１０１に接触する直前に透光体２，１０２が径方向において大きく位置ズレするのを防ぐことができる。上部の水平断面のみを円形状にした形状の台座においても、同様に、周面に沿う水平円輪面がそれより内側の領域より低くなるように台座の上面に段差を設けるのが望ましい。
【００４７】
以下、少々補足する。水平円輪面の永久磁石の数は２個又は４個に限らないが、複数個の磁石を等角度間隔で配備するのが望ましい。そうすると、磁石を台座の中心に点対称とすることができるので、すなわち正多角形の頂点配置の磁石がバランス良く磁力を作用させることができる。
【００４８】
磁性リングは必ずしも開口端面の縁輪部にくるむ必要はなく、開口端面の縁輪部の飾りを兼ねるものとして露出させてもよい。たとえば、磁性を有する金属により周方向にスリットが形成されたリングを形成し、このリングのスリット部分に透光体の端面を嵌め込む方法により、透光体の開口端面の縁輪部にリングを露出させた状態で一体に設けることができる。また、磁性リングは金属の成形品や金属線によるものに限らず、シートの縁輪部に相当する部分に磁性体の粉末を蒸着する方法によっても形成することができる。
【００４９】
台座の上面の磁石が設けられる水平円輪面をそれより内側の領域より低くすることは必須ではないが、上面を段差のない平坦な円形状とし、その面の透光体の底部の開口端面の縁輪部が載る範囲に複数個の磁石を等角度間隔で配備した構成の台座を使用してもよい。
【００５０】
透光体は必ずしも周面全体から光を通過させる必要はなく、周面の一部分のみに透光性を持たせた透光体を使用してもよい。また、透光体の形態も上記の２例に限らず、円錐状や円錐台状などの形態にすることもできる。
【００５１】
照明灯も蝋燭型に限らず、他の様々な形態の照明灯を採用することができる。また乾電池を電源とするタイプの照明灯に限らず、コード線を介して外部電源に接続されるタイプの照明灯を使用してもよい。その場合にはコード線を台座を介して外部に引き出すようにすれば、コード線に干渉されることなく、台座に透光体を装着することができる。また、照明灯または台座に充電式のバッテリーを収容し、このバッテリーを照明灯の電源として使用することもできる。もちろん、コード線に調光器（給電圧調整装置）を介在させるなら、例えば仏壇前設置や卓上ランプのための光量調整することができる。
【００５２】
磁石群がその吸着部位を突出させることなく配備される場合は、磁性リングが開口端面に一体的水平に取り付けられているから、透光体と台座の間に隙間を生じさせず、照明装置の外観の安定性を損なうことなく、空気の流れを必要としない電球やLEDなどを照光源として使用することができる。一方、吸着部位を同等量突出させて配備しておくなら、透光体と台座の間に適宜な隙間が確保され、酸素補給用空気流を必要とする蝋燭もしくはアルコールランプなど火炎を光源として採用することができ、所望する形態の外観や光源種による光質を好みに応じて選択することができる。
【００５３】
以上の説明からわかるように、透光体は磁性リングが取り付けられた縁輪部を下向きにした姿勢とされ、透光体の内部空間に照明灯が入るようにしながら透光体を照明灯の上方から台座に接近させて、台座の水平円輪面に配備された磁石と縁輪部の磁性リングの吸着力でもって連結することによって、台座と透光体との周方向における位置ズレを気遣うことなく、簡単に両者を安定的着座による一体化を図ることができる。もちろん、解脱・分離も容易となる。
【００５４】
透光体の照明灯を囲繞する部分を円筒状又は円錐状若しくは円錐台状に保形したシートにより形成し、このシートの開口下端部で磁性リングの全部または一部をシートにくるんで保持するようにすれば、透光体の縁輪部に輪状感磁性部を持たせて、透光体と台座とを両者の周方向の多少の位置関係を問わずに連結することができる。
【００５５】
照明灯を囲繞する部分を螺旋体にシートを貼着した構成とする透光体にあっても、上記例と同様に、透光体の縁輪部に輪状感磁性部を持たせて、透光体と台座とを両者の周方向の多少の位置関係を問わずに連結することができる。また、磁性リングを被覆する部分の層の厚み若しくはシート自体の厚みによって磁性の強さを調整することができるので、透光体と台座との連結の強度の調整が容易となる。
【００５６】
水平円輪面がその内側の領域より低くなるように段差を境にして画成されていれば、透光体が置かれる位置に多少のズレがあっても、段差が磁性リングの乗載時のセンタリング作用を発揮する。すなわち、段差の壁は円筒状・円錐状に拘わらず透光体の台座に対する調心機能を発揮させることができる。
【００５７】
上記では磁石の配置は等角度間隔であれば照明灯を中心にした点対称となり、水平円輪面上で均等な磁場を発生させることができ、透光体を安定して載せておくことができる。もちろん、磁石の吸着部位を水平円輪面から突出させることなくもしくは同等量突出させて配備することもできる。同等量突出させておく場合は、透光体に空気の透過性のない素材としても透光体内での上昇気流の誘起による照明装置の過熱を抑制することができる。
【００５８】
透光体に図柄を施しておくことも述べた。この照明装置は灯りや装飾品的な使用できることは言うまでもないが、昨今の小形仏壇用の明灯とすることができる。いずれにしても、たとえば透光体の予備を幾つか保有して、透光体型ごとに３種の花を１２０度の角度範囲で描いておけば、たとえば、梅・桃・桜、さつき・菖蒲・紫陽花、カンナ・コスモス・桔梗、菊・山茶花・椿といったように二十四節気を感じて季節の移ろいを楽しむことができる。これは連続もしくは不連続な磁性リングを採用しているからで、透光体を回転させても、バランスを保っておくことができるからである。
【００５９】
ランドルト環のように非磁性部位を備えさせても隙間が小さければ不都合が生じることはない。逆に合口部を３０〜４５度分確保しておけば、その磁力の不感部を支点にして対向側をテコの原理で傾斜させつつ軽く持ち上げることにより透光体の取り外しに力が少なくて済む。加えて透光体の縁輪部を滑らせ、見える図柄を変えることも容易となる。
【符号の説明】
【００６０】
１，１０１…台座、２，１０２…透光体、３…照明灯、４，４０…永久磁石、１０，１１０…水平円輪面、１６・・・段差、２０，１２０…シート、  ２１，１２１…縁輪部、１０３…螺旋体、Ｒ１，Ｒ１１…磁性リング、Ｌ１，Ｌ２…照明装置。
【図１】
0003225962.tif 000003
【図２】
0003225962.tif 000004
【図３】
0003225962.tif 000005
【図４】
0003225962.tif 000006
【図５】
0003225962.tif 000007
【図６】
0003225962.tif 000008
【図７】
0003225962.tif 000009
【図８】
0003225962.tif 000010